(57)【特許請求の範囲】
【請求項１】
クラブハウスのサーバをゴルフコース内の送信端末に専用回線で接続し、前記クラブハウスのサーバは広域ネットワークを介して保険会社のサーバとプレイヤーの端末、及びオンラインマーケットのサーバとに接続し、ホールインワン認証情報を前記保険会社のサーバに送信するホールインワン認証システムであって、
ティーエリアのプレイヤーの動画像を撮影可能なように前記ティーエリアの近傍に設置されたティーエリア用カメラと、
カップの所定範囲を撮影可能なようにグリーンの近傍に配置されたグリーン用カメラとを有し、
前記送信端末は、
年月日と時及び分並びに秒からなる秒単位の時刻とを時刻情報として送出するタイマーと、
前記各カメラのそれぞれの映像を収集し、該収集毎に、前記タイマーからの時刻情報を現在時刻として入力して前記ティーエリア用カメラで撮像されたティーグランドの映像に、前記現在時刻及び予め記憶されているホール番号を重ねて付加する手段と、
前記グリーン用カメラで撮像されたグリーン上の映像に、前記現在時刻及び前記ホール番号を重ねて付加する手段と、
前記現在時刻及びホール番号が付加されたティーグランド上の映像、前記現在時刻及びホール番号が付加されたグリーン上の映像を前記クラブハウスのサーバに送出する手段とを有し、
前記クラブハウスのサーバは、
前記送信端末からの前記現在時刻及びホール番号が付加されたティーグランドの映像と前記現在時刻及びホール番号が付加されたグリーン上の映像とを受信して、これらを前記クラブハウスのモニタの画面に分離して表示する手段と、
前記現在時刻及びホール番号が付加されたティーグランドの映像と前記現在時刻及びホール番号が付加されたグリーン上の映像と前記クラブハウスのホールインワン認証コードとコース番号と年月日とプレイヤー情報とを組み合わせたクラブハウス側のホールインワン認定情報を前記保険会社のサーバに送信する手段と、
前記プレイヤーの端末に前記クラブハウス側のホールインワン認証コードを賞品受け取り用のＩＤコードとして、前記オンラインマーケットのＵＲＬと共にメール送信する手段とを有し、
前記保険会社のサーバは、
前記クラブハウス側のホールインワン認定情報を受信し、入力された保険会社側のホールインワン認定コードにリンク付けして保存し、前記オンラインマーケットのサーバからのＩＤコードの受信に伴って、該ＩＤコードにリンク付けされている保険会社側のホールインワン認定コードがリンク付けされているとき前記オンラインマーケットのサーバに許可通知を送信する手段を有し、
前記オンラインマーケットのサーバは、
前記プレイヤーの端末からのＩＤコードを受信したとき、該ＩＤコードを前記保険会社のサーバに送信し、前記保険会社側のホールインワン認定コードが送信されたとき、前記プレイヤーの端末に賞品一覧をＷｅｂページで提供し、商品を選択させる手段と
有する、
ことを特徴とするホールインワン認定システム。
【請求項２】
前記オンラインマーケットのサーバは、
前記賞品が選択されたとき、該賞品の発注書を前記プレイヤーの端末から入力された住所情報に従って作成して、前記プレイヤーに届けさせる手段を有することを特徴とする請求項１記載のホールインワン認定システム。
【請求項３】
前記ティーエリア用カメラは、
前記ティーエリアの近傍に配置され、バックティー、レギュラーティ、レディースティの内で、バックティー及びレギュラーティを視野とした動画像を送出する第１カメラと、
前記レギュラーティ及びレディースティを視野とする動画像を送出する第２カメラとで構成されていることを特徴とする請求項１又は２に記載のホールインワン認定システム。
【請求項４】
前記クラブハウスのサーバは、
グリーン付近の地理的な座標情報を予め記憶し、
前記プレイヤーが搭乗してゴルフ場を移動するためのカートの位置情報とを受信し、この位置情報と前記座標情報との比較で前記ホール番号を求める手段を備えていることを特徴とする請求項１記載のホールインワン認定システム。
【発明の詳細な説明】
【０００１】
【発明の属する技術分野】
本発明は、ゴルフプレーにおいてホールインワンが達成された場合に、その認定からホールインワン保険適用審査、賞品注文、賞品配送までをネットワークを利用してトータル的に処理を行うホールインワン認定システムに関する。
【０００２】
【従来の技術】
近年、ゴルフ場において、キャディなしのプレイヤーのみでコースを周るセルフプレー方式が採用されるようになり、これに対応して、公開特許公報（特開平８−１１２３８７）で開示されるような”ゴルフ・コースのためのホールインワン確認システム”が提案されている。
【０００３】
前述のホールインワン確認システムは、ティーエリアからカップエリアまでの間にカメラを設置し、プレイヤーのショット映像、ボールの飛球軌道、そしてボールの最終到達地点を連続的に撮影する。そして、この撮影は多角度から同時に複数台のカメラにより行われ、各カメラにより撮影された映像を一端中継装置で集約して、記録テープの同一トラックに記録する。
【０００４】
記録された映像は、伝送用にデジタル信号に変換された後にデータ圧縮され、電話回線で接続されたゴルフクラブの制御システムに送信する。制御システムは、受信した映像を記録装置に記憶する一方、ディスプレイに再生することによって、観察させることが可能である。
【０００５】
そして、ホールインワンの達成があった場合は、達成者により報告がなされた後、フロントマネージャ等が同伴者の報告と記録装置のショット映像、ホールインワン映像を確認してホールインワンを認定してホールインワン認定書を発行するのが一般的である。
【０００６】
一方、ゴルフプレイヤーがホールインワン保険に加入している場合は、同伴者のサイン入りのホールインワン認定書と、ホールインワンの映像をビデオで保存している場合は、そのビデオ映像とをゴルフクラブから保険会社に送ってホールインワン保険を適用してもらうというのが一般的であった。
【０００７】
【発明が解決しようとする課題】
しかしながら、特開平８−１１２３８７で開示されるゴルフ・コースのためのホールインワン確認システムは、ティーエリアとグリーンの一部を視界とする第１カメラと、ティーエリアと遠方グリーンを視界とする第２カメラとで取得した画像を同一画面に表示し、両方の画像からホールインワンを認定するシステムであるから、認証は画像の確認のみであり、ホールインワンを認証するための証拠としては不十分であるという課題があった。
【０００８】
また、従来のホールインワン認定システムは、撮影を行うために毎回ビデオカメラ（あるいはビデオカメラ制御装置）にコインを投入してから起動させる撮影方式をとっている。
【０００９】
つまり、プレイヤーはあるホールでホールインワンを狙うと決めたときは、あらかじめコインをビデオカメラに投入しなければならない。仮にコインの投入を忘れた場合は、撮影が開始されないのでホールインワンが達成されてもそのプレーを認定することはできないという課題があった。
【００１０】
また、不正なプレーにより達成されたホールインワンを排除するために、ショット映像からカップインまでを一続きで撮影している。このため、例えば曇りまたは雨まじりの天候であっても撮影できるように高精細なカメラを設置する必要があり、このようなカメラは極めて高価な上、確実にホールインワンの認定を行うには複数のカメラを要することから、ゴルフ場の設備コストが高くなるという課題があった。
【００１１】
さらに、ホールインワンが認められても、認定に必要な書類を一式揃える手間や、保険会社に郵送されてからホールインワン認定、プレイヤーの保険適用審査および保険が下りるまでは数日を要してしまうことから、より短時間で保険認定処理が行われることが望まれている。
【００１２】
ところで、あらゆる分野で通信設備のインフラが整いつつあり、これと同時に暗号技術やデータ伝送技術の信頼性が高くなってきている。会社あるいは個人がネットワークに端末を接続してデータ伝送やオンラインショッピングを行うことは日常行われるようになってきている。
【００１３】
本発明は上記問題を鑑みてなされたもので、その目的としては、ノーキャディのゴルフ場であっても、安価にホールインワンの認定のための十分な証拠を敏速に得ることができるホールインワン認定システムを提供することにある。
【００１４】
【課題を解決するための手段】
本発明のホールインワン認証システムは、クラブハウスのサーバをゴルフコース内の送信端末に専用回線で接続し、前記クラブハウスのサーバは広域ネットワークを介して保険会社のサーバとプレイヤーの端末、及びオンラインマーケットのサーバとに接続し、ホールインワン認証情報を前記保険会社のサーバに送信するホールインワン認証システムである。
【００１５】
ティーエリアのプレイヤーの動画像を撮影可能なように前記ティーエリアの近傍に設置されたティーエリア用カメラと、
カップの所定範囲を撮影可能なようにグリーンの近傍に配置されたグリーン用カメラとを有し、
前記送信端末は、
年月日と時及び分並びに秒からなる秒単位の時刻とを時刻情報として送出するタイマーと、
前記各カメラのそれぞれの映像を収集し、該収集毎に、前記タイマーからの時刻情報を現在時刻として入力して前記ティーエリア用カメラで撮像されたティーグランドの映像に、前記現在時刻及び予め記憶されているホール番号を重ねて付加する手段と、
前記グリーン用カメラで撮像されたグリーン上の映像に、前記現在時刻及び前記ホール番号を重ねて付加する手段と、
前記現在時刻及びホール番号が付加されたティーグランド上の映像、前記現在時刻及びホール番号が付加されたグリーン上の映像を前記クラブハウスのサーバに送出する手段とを有し、
前記クラブハウスのサーバは、
前記送信端末からの前記現在時刻及びホール番号が付加されたティーグランドの映像と前記現在時刻及びホール番号が付加されたグリーン上の映像とを受信して、これらを前記クラブハウスのモニタの画面に分離して表示する手段と、
前記現在時刻及びホール番号が付加されたティーグランドの映像と前記現在時刻及びホール番号が付加されたグリーン上の映像と前記クラブハウスのホールインワン認証コードとコース番号と年月日とプレイヤー情報とを組み合わせたクラブハウス側のホールインワン認定情報を前記保険会社のサーバに送信する手段と、
前記プレイヤーの端末に前記クラブハウス側のホールインワン認証コードを賞品受け取り用のＩＤコードとして、前記オンラインマーケットのＵＲＬと共にメール送信する手段とを有し、
前記保険会社のサーバは、
前記クラブハウス側のホールインワン認定情報を受信し、入力された保険会社側のホールインワン認定コードにリンク付けして保存し、前記オンラインマーケットのサーバからのＩＤコードの受信に伴って、該ＩＤコードにリンク付けされている保険会社側のホールインワン認定コードがリンク付けされているとき前記オンラインマーケットのサーバに許可通知を送信する手段を有し、
前記オンラインマーケットのサーバは、
前記プレイヤーの端末からのＩＤコードを受信したとき、該ＩＤコードを前記保険会社のサーバに送信し、前記保険会社側のホールインワン認定コードが送信されたとき、前記プレイヤーの端末に賞品一覧をＷｅｂページで提供し、商品を選択させる手段と
有する、
ことを要旨とする。
【００１７】
また、前記オンラインマーケットのサーバは、
前記賞品が選択されたとき、該賞品の発注書を前記プレイヤーの端末から入力された住所情報に従って作成して、前記プレイヤーに届けさせる手段を有することを要旨とする。
【００１８】
また、前記ティーエリア用カメラは、
前記ティーエリアの近傍に配置され、バックティー、レギュラーティ、レディースティの内で、バックティー及びレギュラーティを視野とした動画像を送出する第１カメラと、
前記レギュラーティ及びレディースティを視野とする動画像を送出する第２カメラとで構成されていることを要旨とする。
【００１９】
さらに、前記クラブハウスのサーバは、
グリーン付近の地理的な座標情報を予め記憶し、
前記プレイヤーが搭乗してゴルフ場を移動するためのカートの位置情報とを受信し、この位置情報と前記座標情報との比較で前記ホール番号を求める手段を備えていることを要旨とする。
【００２２】
【発明の実施の形態】
（第１の実施の形態）
以下、図面を参照して本発明の実施の形態を説明する。
【００２３】
図１は、本発明を適用したネットワークを含むホールインワン認定システムの全体構成を示す図である。
【００２４】
このホールインワン認定システムは、プレイヤーによってホールインワンが達成されたときに、カメラで取得した映像と現在時間とホール番号をもとにホールインワンの判定を行う。
【００２５】
そして、判定の結果、ホールインワンと判定するとネットワークを介して保険会社２に時間及びホール番号付きの映像等を送信し、ホールインワン確定されるとＩＤコードをプレイヤー端末装置４と提携オンラインマーケット３に対して発行し、プレイヤーがそのＩＤ番号を使用して提携オンラインマーケットから好きな賞品を注文して、希望賞品を受け取る。
【００２６】
このホールインワン認定システムは、ゴルフ場のコースの各機器及びゴルフクラブ１の各機器を運営管理するための運営管理装置１１（サーバを含む）と、保険会社２のサーバと、提携オンラインマーケット３のサーバと、プレイヤー端末装置４よりなるシステムであり、ここでサーバとはサーバ・コンピュータを意味し、プレイヤー端末装置４とはブラウザを搭載したパーソナルコンピュータである。
【００２７】
また、パースリーコースのティーエリアにプレイヤーのショット映像を撮影するためのティー用の２台のカメラ１４ａ、１４ｂと、カップおよびカップ周辺を撮影するためのグリーン用カメラ１４ｃと、これらカメラで撮影された映像を収集してゴルフクラブ１に中継する中継装置１２と、中継装置１２からの映像信号と、カート１３からの位置情報とを受信して表示、記憶する運営管理装置１１で構成されている。また、中継装置１２と運営管理装置１１とを総称してホールインワン情報収集装置という。
【００２８】
一方、ホールインワン保険の適用を審査する保険会社２のサーバは、運営管理装置１１から送信されたクラブ側からのホールインワン認定情報（時刻及びホール番号付きティーグランド映像、時刻及びホール番号付きグリーン映像、クラブ側のホールインワン認定コード、年月日）を受信して表示、記憶して、担当者にホールインワンを認定させる。この担当者は、ホールインワンと認定したときは、保険会社２のホールインワン認定コードをリンク付けして記憶する。
【００２９】
また、保険会社２のサーバは、提供オンラインマーケット３からＩＤコード（クラブ側のホールインワン認証コード）が送信されると、このＩＤコードに保険会社２のホールインワン認証コードがリンク付けされているときに、許可通知を送信する。
【００３０】
また、提携オンラインマーケット３は、賞品一覧を掲載したＷｅｂページを動作させるためのＷｅｂ機能と、保険会社２から許可通知を受信したとき、賞品一覧をＷｅｂページで提供して賞品を選択させ、この選択された賞品を配送させる機能を有している。
【００３１】
次に、ゴルフ場ホールに設置されるカメラ１４ａ、１４ｂ、１４ｃと中継装置１２の具体的な機能を図２に示す。
【００３２】
パースリーのティーエリアには、バックティー又はレギュラーティーを撮影して動画（第１のティーグランド映像という）を送出するカメラ１４ａと、レギュラーティー又はレディースティーを撮影して動画（第２のティーグランド映像という）を送出するカメラ１４ｂが設置され、グリーンにはカップを周囲を撮影して動画（グリーン上の映像という）を送出するカメラ１４ｃが設置されている。
【００３３】
各カメラ１４ａ、１４ｂ、１４ｃで撮影された映像は、コース近辺に設置された中継装置１２（伝送端末ともいう）に収集される。
【００３４】
中継装置１２には、３台のカメラからの各映像を取込むことができる送受信部１２１と、年月日、時刻を送出するタイマー１２２を備えている。また、３台のカメラで取込んだ映像を１画面に合成させ（４分割合成映像）、映像にタイマー１２２の年月日時刻（秒単位）を重ねる映像時刻合成部１２３と、４分割合成された映像信号（またはビデオ信号ともいう）をＲＦ信号に変換する信号変換部１２５と、ＲＦ同軸ケーブルで接続された運営管理装置１１へ圧縮データを伝送する伝送部１２７を備えている。
【００３５】
図３は、ティーエリア及びグリーンエリアに設置されるカメラ１４ａ、１４ｂ、１４ｃの外観図である。
【００３６】
カメラ１４ａ、１４ｂ、１４ｃは、プレーを妨げずかつ景観を損なわない位置に設置され、避雷針とアースを備えた細長いポールと、ポールの地上３．５ｍ〜５．０ｍの位置にドーム型カメラ１４１を備える構造からなる。このドーム型カメラ１４１は視野方向が自在に調節できるものであり、撮影された映像は、埋設された同軸ケーブルを介して中継装置１２へ送信される。
【００３７】
図４は、運営会社に設置される運営管理装置１１の機能を説明するための機能ブロック図である。
【００３８】
運営管理装置１１は、受信した時刻付き４分割合成映像を（ティーエリア映像及びグリーン上映像）をＲＦ信号からビデオ信号に変換する信号変換機能を有するインターフェース１０１と、４分割合成映像を映像デジタルレコーダ１８１に録画させる命令を出力インターフェース１１０に出力するホールインワン認定表示制御部１０５と、ホールインワン認定表示制御部１０５から録画命令を入力して、外部に接続されている映像デジタルレコーダ１８１に４分割合成映像を録画する出力インターフェース１１０とを備えている。
【００３９】
このホールインワン認定表示制御部１０５は、時刻付きティーグランドの映像及びグリーン上の映像と、クラブハウス側のホールインワン認定コードとコース番号と年月日とプレイヤー情報（氏名、電話番号、端末アドレス、同伴者名、同伴者住所等）を関連付けて保存（クラブ側のホールインワン認定情報）する。
【００４０】
さらに、アンテナ１０２を介してカート１３の位置情報を受信する無線送受信部１０３と、該位置情報及び入力装置１７を介して入力された各種情報を関連付けてデータベース化し管理する記録部１０４と、カメラの角度および度合を制御するカメラ監視制御部１０６と、出力装置１８と接続される出力インターフェース１１０と、ネットワークと接続するためのモデム１０８とを備えている。
【００４１】
出力装置１８は、受信した４分割映像を録画する映像デジタルレコーダ１８１と、映像デジタルレコーダ１８１を介してプレー映像をリアルタイムで表示させる監視モニタ１８０と、ホールインワン達成者に贈呈するプレー映像をダビングするためのＶＨＳビデオレコーダと、ＶＨＳビデオテープに記録された映像を再生する再生用ＴＶとからなる。
【００４２】
記録部１０４には、スタート管理表１０４ａと、タイム管理表１０４ｂと、映像管理表１０４ｃとが保管されており、その一例を図５に示す。
【００４３】
スタート管理表１０４ａは、毎日作成されるものであり、日時は自動的に記録される。管理表はカートＮｏ別に管理されており、受付順にカートＮｏ「００１」から順に「００ｘ」まで順に登録されるものである。登録内容は、プレイヤーの氏名、電話番号、住所、端末アドレス等であり、プレイヤー全員の情報が登録されるようになっている（プレイヤー情報）。
【００４４】
タイム管理表１０４ｂは、カートＮｏごとに１シートづつ作成されるものであり、プレイヤーがどのホールで何時にプレーを行ったかを記録し、そのプレー時間ごとにプレー映像ファイルとを関連付けて管理するものである。これによりホールインワンが達成されたときにプレイヤーの申告をもとに映像が探し易くなる。
【００４５】
登録される内容は、図５に示すように、カートＮｏと、ゴルフクラブ１をスタートした時間と、第１ホールに到着した時刻（ＧＰＳ位置を用いる）、出発した時刻（ＧＰＳ位置を用いる）、映像ファイルＮｏである。
【００４６】
タイム管理表１０４ｂの到着時刻および出発時刻の入力方法は、無線送受信部１０３が、カート１３から送信される位置情報を受信し、この位置情報と無線送受信部１０３に予め記憶されているティー、グリーン付近の座標マトリックス（例えば５ｍ精度）からホール番号を抽出し、タイム管理表１０４ｂ内の該当ホール番号を探す（ここでは例えば第１ホール）。
【００４７】
そして、カート１３がホールに到着したときは時刻を到着時刻として記録する（ここでは「８：０５」）。受信している位置情報が変化し始めるとカート１３が再び動き出したと検知して、その時刻を出発時刻として記録する。
【００４８】
このタイム管理表１０４ｂはスタート管理表１０４ａのカート番号とリンクしており、スタート管理表１０４ａのカート番号をクリックするとタイム管理表１０４ｂに飛べる構成になっている。
【００４９】
映像管理表１０４ｃは、ホールインワンが達成された映像ファイルのみを管理している表であり、映像ファイルを一見して確認できるように一覧表にまとめたものである。また、クラブ側のホールインワン認証コード（フロントマネージャーが入力）を映像ファイル番号に対応させている。
【００５０】
図６は、ゴルフ場オープン前に行うカメラ１４の起動およびカメラの調節手順を示すシーケンスである。
【００５１】
まず、ゴルフ場はオープン前にカメラの起動および角度調節等を行う必要がある。調節を行う者は、運営管理装置１１に接続されている入力装置１７（例えばキーボード）を操作して、カメラの起動命令を中継装置１２を介してティーエリア用カメラ１４ａ、１４ｂに送信する（ｄ１）。このカメラ制御は運営管理装置１１のカメラ制御部１０６が行う。
【００５２】
起動命令を受けたティーエリア用カメラ１４ａ、１４ｂは、起動を開始し、現在のティーエリアを含む周囲の映像を中継装置１２を介して運営管理装置１１に返信し、監視モニタ１８０に表示（時刻付きティーエリア映像と時刻付きグリーン上映像）させる（ｄ２〜ｄ３）。
【００５３】
一般にティーエリアの位置は、芝生の状態やコースに変化をつける目的から定期的に変更されるので、その位置変更に応じてカメラ１４ａ、１４ｂの角度調節やズーム調節を行わなければならない（ｄ４）。このため、調節を行う者は、例えばジョイスティック等の入力装置１７を用いて、角度等の調節信号（調節制御信号）を中継装置１２を介してティーエリア用カメラ１４ａ、１４ｂに送信し、返信された映像で確認しながら適切な位置に合わせる（ｄ５）。
【００５４】
なお同様の方法で、グリーンエリアに設置されるカメラ１４ｃの起動、角度調節およびズーム調節も行う（ｄ６〜ｄ１０）。
【００５５】
上記調節が終了すると、ティーエリア用カメラ１４ａ、１４ｂおよびグリーンエリア用カメラ１４ｃで撮影された映像は中継装置１２へ送信される（ｄ１１、ｄ１２）。
【００５６】
中継装置１２はこれらのティーエリア映像とグリーンエリア映像とを収集し、映像時刻合成部１２３、タイマー１２２を用いて合成された４分割合成映像に時刻を書き込み、運営管理装置１１に送信する（ｄ１３）。
【００５７】
なお、ここで、図９を用いて４分割合成映像の一例を示す。例えば、表示画面を図のように均等に４分割し、この４つの画面のうち、左上画面上には第1カメラ１４ａが捕らえたティーエリア映像を表示させ、同様に左下画面上には第２カメラ１４ｂが捕らえたティーエリアの映像を表示させる。右上画面上には第３カメラ１４ｃが捕らえたグリーンエリアの映像を表示させ、右下画面は空欄とする。４分割合成された映像の画面下部には、タイマー１２２が送出する年月日、時刻（秒単位）を入力し、運営管理装置１１に送信された合成映像の画面上部には、無線送受信部１０３がカート１３から受信した位置情報を基に検索したホール番号を入力する。
【００５８】
４分割合成映像を受信した運営管理装置１１のホールインワン認定表示制御部１０５は、時刻及びホール番号付きティーエリア映像及びグリーンエリア映像を、外部接続されている映像記録デジタルレコーダに録画すると共に、監視モニタ１８０に表示させる（ｄ１４）。この一連の動作（カメラ撮影、映像合成、録画）は、ゴルフ場が閉園するまで行われる。
【００５９】
図７は、プレー開始後の運営装置１１の動作を示すシーケンスである。
【００６０】
プレイヤーは、ゴルフ場に到着すると受付けで氏名、電話番号、住所、端末アドレスを来場者名簿に記入する。受付けを済ませたプレイヤーは出発の準備に取り掛かる。一方の受付では、フロント係が来場者名簿に記入されたプレイヤー情報を運営管理装置１１に入力する。これによってスタート管理表１０４ａが登録されることになる（ｄ２０）。
【００６１】
プレイヤーは準備を済ませると指定されたカート１３に乗り込み、プレイヤー自身で運転して第１ホールへと移動する（ｄ２１）。カート１３が動き出すのと同時にカート１３に搭載されたＧＰＳ受信機は、ＧＰＳ衛星から基準信号（緯度、経度、高度）を受信する。カート１３に搭載されたＧＰＳ受信機は、その基準信号からカート１３の現在所在位置を算出し運営管理装置１１に送信する（ｄ２２）。
【００６２】
運営管理装置１１は、現在所在位置を受信した時刻とをタイム管理表１０４ｂのスタート時刻（例えば、「８：００」）を登録する（ｄ２３）。
【００６３】
カート１３がホールに到着した場合はタイム管理表１０４ｂの到着時刻欄にカート１３からの最新受信時刻（例えば、「８：０５」）を記録する（ｄ２４）。
【００６４】
一方、ホールに到着したプレイヤーは、スタート管理表１０４ａに登録した順にプレーを開始する。
【００６５】
第１ホールでプレーが終了すると、プレイヤーは再びカート１３に乗って移動を開始するので、上記と同様の要領で、タイム管理表１０４ｂに出発時刻（例えば、「８：２０」）を記録する。
【００６６】
また、映像の管理方法は、例えばタイム管理表１０４ｂのパースリーコースに到着時刻が記録されたことを切っ掛けにして、受信している映像を映像デジタルレコーダ１８１に記憶し、出発時刻が記録されると記憶を終了して映像にファイルＮｏを付すようにする。このときに、映像ファイルＮｏをタイム管理表１０４ｂに登録し、映像デジタルレコーダ１８１とリンク付けすることで後から見たい映像を簡単に検出できるようにするのが好ましい。
【００６７】
以上のように、プレイヤーが各ホールを周るごとに、タイム管理表１０４ｂに到着時刻、出発時刻、映像ファイルＮｏ等（パースリーコースのみが望ましい）をデータベース化して蓄積する。
【００６８】
なお、映像の管理方法は、例えば、パースリーコース分の映像ファイルＮｏをスタート管理表１０４ａに添付させるようにしてもよい。
【００６９】
また、本発明の実施の形態では１台のカート１３について説明したが、コースに出ているすべてのカートについて同様の形態で管理が行われるものとする。
【００７０】
次に示す図８は、ホールインワンが達成されたときの運営管理装置１１の動作を示すシーケンスである。
【００７１】
１８ホールを終えて戻ってきたプレイヤーからホールインワン達成の報告がなされると（ｄ３０）、フロントマネージャは達成者名、カート番号、達成したホール番号等を運営管理装置１１に入力する。運営管理装置１１は、これらの入力データをもとにスタート管理表１０４ａ内を検索し、リンクされている映像ファイル（時刻付きティーエリア映像及びグリーンエリア映像）を読み込んで再生用ＴＶに再生させる（ｄ３１）。
【００７２】
ここで、画面に表示される時刻及びホール番号付きショット映像、カップイン映像等からフロントマネージャーは飛球経過時間を算出してホールインワンを認定する（ｄ３２）。
【００７３】
このとき、フロントマネージャは達成者名、カート番号、達成したホール番号等を運営管理装置１１に入力して図１０に示すホールインワン認定書をプリンタ（図示せず）を用いて発行する。
【００７４】
また、運営管理装置１１にクラブ名、年月日、達成者名、ホールインワンコース、同伴者名、クラブ側のホールインワン認定コードを入力し、前述のホールインワンの時刻及びホール番号付きティーエリア映像及びグリーンエリア映像と共にクラブ側のホールインワン認定情報としてインターネットを用いて保険会社２に送信する（ｄ３３）。
【００７５】
一方、ホールインワン達成連絡を受けた保険会社２のサーバは、ホールインワン認定情報を受信して画面に表示させる。保険会社側の担当者は、画面に映し出された時刻及びホール番号付きティーエリア映像及びグリーンエリア映像を確認すると共に、クラブ名、年月日、達成者名、ホールインワンコース、同伴者名、クラブ側のホールインワン認定コード等が添付されているかどうかを判断し、これらのデータ及び映像が揃ったときに、保険会社２がホールインワン認定し、保険会社２の認定コードを付けて保存する。
【００７６】
すなわち、保険会社２側にはホールインワンを達成したときの映像（時刻及びホール番号付きティーエリア映像及びグリーンエリア映像）とクラブ名、年月日、達成者名、ホールインワンコース、同伴者名、クラブ側のホールインワン認定コード等が送信されてくるので、保険会社２の認定が短時間で終わることになる。
【００７７】
一方、クラブハウスの運営管理装置１１のフロントマネージャーは、クラブハウスのホールインワン認定コードを賞品を受け取るＩＤコードとしてメールで達成者端末に送信する（ｄ３４）。このメールには提供オンラインマーケットのＵＲＬコードが付加されている。
【００７８】
次に、達成者はプレイヤー端末装置４を操作して提供オンラインマーケット３にアクセスしてクラブハウス側からのＩＤコードを入力して、送信させる（ｄ３５）。
【００７９】
提供オンラインマーケット３は、プレイヤー端末装置４からのＩＤコードを受信すると、保険会社２のサーバにこのＩＤコードを送信する（ｄ３６）。
【００８０】
保険会社２のサーバは、提供オンラインマーケット３からＩＤコードを受信すると、このＩＤコードと同じクラブ側のホールインワン認証コードが存在し、かつ保険会社２のホールインワン認証コードがリンク付けされているとき、賞品提供受付の許可通知を提供オンラインマーケット３に送信する（ｄ３７）。
【００８１】
提供オンラインマーケット３は、許可通知を受信すると、賞品一覧をプレイヤー端末装置４のディスプレイに表示させる（ｄ３８）。達成者はその中から好きな賞品を選び、提携オンラインマーケット３に選択情報を送信する（ｄ３９）。
【００８２】
提供オンラインマーケット３は、その賞品の注文書を表示させて達成者に配送させる。
【００８３】
このとき、提供オンラインマーケット３は、賞品を送りたい人（同伴者、知人）に対して配送できる入力画面をプレイヤー端末装置４に送信している。
【００８４】
また、ゴルフクラブ１からはホールインワン達成時のビデオテープやホールインワン認定書等が贈呈される。
【００８５】
なお、提携オンラインマーケット３は、例えば、賞品一覧のみをネット上に公開する会社（ベネフィットオンライン）でもよく、注文賞品はベネフィットオンラインから賞品メーカに伝達され、賞品メーカがプレイヤーの自宅近所にあるコンビニエンスストアーに賞品を配送することで、プレイヤー自身が賞品を受け取りに行く方法であってもよい。
【００８６】
また、上記実施の形態では、有線を用いて映像を運営管理装置１１に送信したが、各カメラに無線器を搭載して、映像を中継装置１２が無線で運営管理装置１１に中継してもよい。
【００８７】
（第２の実施の形態）
また、中継装置１２の変形例として、該中継装置１２に備えられる信号変換部１２５は、ビデオ信号からＲＦ信号に変換する信号変換機能を有しているが、機能はこれ限定するものではなく、ビデオ信号をデジタル信号に変換する機能であってもよい。その場合、信号変換部１２５の後段に圧縮機能を備えたエンコーダ／デコーダ部を更に設けることにより（図示せず）、変換されたデジタル信号を圧縮して運営管理装置１１に送信することができるので、ＲＦ信号で伝送するよりも効率よく動画映像を送信することができる。
【００８８】
なお、エンコーダ／デコーダ部で行われるデータ圧縮方法は、例えばＭＰＥＧ２方式を利用して映像の変化分のみを送信するようにしてもよい。また、これに限らず、ＭＰＥＧ４方式やその他の圧縮方式を使用するようにしても上記実施の形態と同様の効果を得ることができる。
【００８９】
また、第１の実施の形態では、各カメラ１４ａ、１４ｂ、１４ｃで撮影された映像を１画面に合成して表示させているが、画像の表示方法はこれに限らず、例えば、図１１に示すようにカメラ１４ａ又はカメラ１４ｂで撮影したティーエリア映像にタイマー１２２が送出する年月日、時刻（秒単位）及びホール番号を表示可能に入力し、一方のグリーンエリアを撮影した映像にもタイマーが送出する年月日、時刻（秒単位）を入力して、２つ映像を１画面に合成して表示させるようにしてもよい。
【００９０】
これにより、上記実施の形態と同様にホールインワン認定者が目視でホールインワンを確認できる他、プレイヤーのショット時刻、ボールがグリーンに到達した時刻（或いはカップイン時刻）が別々に表示されるので、両時刻を比較して飛球経過時間を算出できることから容易に認定を行うことができる。
【００９１】
さらに、第１の実施の形態において、ホール番号を画面に表示させるには、運営管理装置１１に具備される無線送受信部１０３がカート１３から位置信号を受信して、該位置情報を基に検索したホール番号を画面に表示可能なように入力しているが、該ホール番号の検索及び入力方法はこれに限らず、予め運営管理装置１１の記録部１０４にホール番号と該ホールに設置される中継装置１２の番号とを対応付けてテーブル化して登録しておいてもよい。この場合、中継装置１２は運営管理装置１１に映像を送信する際に中継装置１２の番号を付加して送信し、映像を受信した運営管理装置１１側は、映像に付加された中継装置１２番号を基にテーブルからホール番号を検索して画像に表示可能に入力する。これにより、ホールインワン認定者はどのホールで行われたプレーであるかを映像から容易に判断することができる。
【００９２】
また、運営管理装置１１の記録部１０４に登録しておくホール番号を含むテーブルは、ホール番号と中継装置１２番号以外に、カメラ番号であってもよい。例えば、ゴルフ場に設置される全てのカメラに対して重複しない番号を予め付しておき、運営管理装置１１の記録部１０４に、カメラ番号とホール番号とを対応付けてテーブル化して登録する。中継装置１２の記録部（図示せず）には、映像入力端子番号と該映像入力端子に接続されるカメラ番号とを対応付けて登録しておく。中継装置１２は、ある映像入力端子から映像を取得すると、該取得した映像にカメラ番号を付加して運営管理装置１１に送信する。映像を受信した運営管理装置１１は、映像に付加されているカメラ番号を基にテーブル内を検索し、該当するカメラ番号に対するホール番号を抽出すると、画像に入力して表示させる。これにより、ホールインワン認定者はホールインワンを容易に認定することができるので、第１の実施の形態と同様の効果を得ることができる。
【００９３】
【発明の効果】
以上説明したように本発明によれば、ティーエリアの映像を第１カメラ又は第２カメラで撮影させると共に、カップを備えたグリーンを第３カメラで撮影し、得られたティーグランドの動画映像に時刻を逐次合成し、またグリーン上の動画映像に時刻を逐次合成してゴルフクラブ１のサーバに送信し、ゴルフクラブ１側ではこれらの映像を同一画面に４分割して表示又は記憶する。
【００９４】
このため、キャディが存在しないゴルフ場でホールインワンの報告があったときには、記憶又は表示した映像と時刻を基にゴルフクラブ１側が容易にホールインワンを認定できるという効果が得られている。
【００９５】
また、ティーグランドの動画映像に時刻が付加され、グリーン上の動画映像には時刻が付加されていることにより、カメラが高精度でなくともよいので、コストを低減できるという効果が得られている。
【００９６】
また、ネットワークを利用して保険会社にホールインワン映像を配信するので、保険会社はホールインワン認定の迅速な認定処理を行うことができるという効果が得られている。
【図面の簡単な説明】
【図１】本発明を適用したネットワークを含むホールインワン認定システムの概略構成図である。
【図２】ホールに設置されるカメラと中継装置の機能を示す機能ブロック図である。
【図３】ホールに設置されるカメラの外観図である。
【図４】運営管理装置の概略構成図である。
【図５】各種ファイルの説明図である。
【図６】本実施の形態のシステムの動作を説明するシーケンス図である。
【図７】本実施の形態のシステムの動作を説明するシーケンス図である。
【図８】本実施の形態のシステムの動作を説明するシーケンス図である。
【図９】４分割合成映像を示す図である。
【図１０】ホールインワン申告書の説明図である。
【図１１】第２の実施の形態の２分割合成映像を示す図である。
【符号の説明】
１  ゴルフクラブ
２  保険会社
３  提携オンラインマーケット
４  プレイヤー端末装置
１１  運営管理装置
１２  中継装置
１３  カート
１４ａ、１４ｂ、１４ｃ  カメラ
１７  入力装置
１８  出力装置
１０１  インターフェース
１０２  アンテナ
１０３  無線送受信部
１０４  記憶部
１０４ａ  スタート管理表
１０４ｂ  タイム管理表
１０４ｃ  映像管理表
１０５  ホールインワン認定表示制御部
１０６  カメラ監視制御部
１０８  モデム
１０９  制御部
１１０  出力インターフェース
１２１  送受信部
１２２  タイマー
１２３  映像時刻合成部
１２５  信号変換部
１２７  伝送部
１４１  ドーム型カメラ
１８０  監視モニタ
１８１  映像デジタルレコーダ
【図１】
0004136353.tif 000002
【図２】
0004136353.tif 000003
【図３】
0004136353.tif 000004
【図４】
0004136353.tif 000005
【図５】
0004136353.tif 000006
【図６】
0004136353.tif 000007
【図７】
0004136353.tif 000008
【図８】
0004136353.tif 000009
【図９】
0004136353.tif 000010
【図１０】
0004136353.tif 000011
【図１１】
0004136353.tif 000012